(57)【特許請求の範囲】
【請求項１】
同期系信号をいったん非同期系信号に変換して伝送してから元の同期系信号に再変換する区間を含む伝送系に設けられ、該区間内での第１の装置の通常の電源断により該第１の装置からの信号が停止した時に、非同期系信号を同期系信号に再変換する第２の装置にて周期異常による警報が発生するのを抑止する警報抑止通知を生成する警報抑止通知装置において、
伝送経路の上流側で周期的な信号を送信している前記第１の装置の電源断を通知する信号を検出する電源断検出部と、
該電源断の検出された第１の装置がその下流側へ送信していた信号の周期に対応した警報抑止通知の周期を生成する周期生成部と、
該周期生成部により生成された周期で、該電源断の検出された第１の装置に対応する警報抑止通知を作成して、前記第２の装置へ向けて伝送経路の下流へ送信する警報抑止通知発生部とを備え、
該周期生成部は、該検出対象となる前記第１の装置が下流側に向かって送信する信号の到着タイミングを所定の時間間隔にわたって時系列に記録できるテーブルを備え、該信号が到着する毎にその到着タイミングと共に送信元である前記第１の装置の識別情報を該テーブルに記録し、電源断の検出時、当該第１の装置に対して該テーブルに記録されている信号到着タイミングに基づき警報抑止通知の周期を生成することを特徴とする警報抑止通知装置。
【発明の詳細な説明】
【０００１】
【発明の属する技術分野】
本発明は、例えば、同期系信号をいったん非同期系信号に変換して伝送してから元の同期系信号に再変換する区間を含む伝送系において、この区間内での装置の通常の電源断により信号が停止した時に、非同期系信号を同期系信号に再変換する装置にて周期異常による警報が発生するのを抑止するような警報抑止通知装置に関する。
【０００２】
【従来の技術】
Ｂ−ＩＳＤＮ（広帯域サービス総合ディジタル網）における情報の転送方式にはＳＴＭ（同期転送モード）とＡＴＭ（非同期転送モード）がある。従来の伝送系では、加入者端末と局側交換機（もしくは終端装置）との間で、通常は同系の信号（同期系信号または非同期系信号）が伝送される構成となっていた。
【０００３】
図７に従来の伝送系の構成例を示す。この構成例において、加入者端末２１が網終端装置２０を介して同期網に接続され、網終端装置２０から出る加入者線は局側の加入者線終端装置１０に収容される。加入者線終端装置１０の出力側伝送路はいくつかの同期系中継器１４を経て交換機１１に達する。
【０００４】
この場合、同期系の加入者装置は有効な情報の有無にかかわらず常に一定周期でフレームを送信するので、局側装置は受信フレームの周期を監視することで加入者線の異常を検出することができる。例えば、局側の加入者線終端装置１０は、加入者装置から送信されてくる信号のフレーム周期を監視し、周期異常を検出した時に上位装置へ異常警報を出す。
【０００５】
一方、加入者装置では利用者は任意に端末の電源切断を行う。その場合、加入者装置からフレームが送出されなくなるが、これは正常な電源断によるものなので、警報が発生するのは望ましくない。そのため、網終端装置２０は端末２１の電源断を感知した時に電源断情報（ＲＥＣ−ＩＮＨ信号）を局側に通知し、それにより局側の加入者終端装置１０は周期異常の警報を抑止している。
【０００６】
【発明が解決しようとする課題】
加入者装置と局側交換機がどちらも同期系信号を扱うが、その間の伝送はＡＴＭ網を介して行う必要がある場合、例えば、加入者装置においてＣＬＡＤ（Ｃｅｌｌ  Ａｓｓｅｍｂｌｙ  ａｎｄ  ｄｉｓａｓｓｅｍｂｌｙ  ；セル組立・分解）装置により同期系信号をＡＴＭセル化してからフレームと同じ周期で送出し、局側装置において交換機の前段のＣＬＡＤ装置によりＡＴＭセルをデセル化して元の同期系信号へ戻すといった構成が考えられる。
【０００７】
図８には、加入者側の網終端装置２０が出力する同期系信号を後段のＣＬＡＤ装置２２でＡＴＭセルに変換する場合の構成例が示される。ＣＬＡＤ装置２２から加入者線に送出されたＡＴＭセルは、局側の加入者線終端装置１０とＡＴＭ中継器１３を経て伝送され、ＣＬＡＤ装置１２で元の同期系信号に再変換されてから交換機１１に入力される。
【０００８】
この構成では、局側装置において、加入者線終端装置１０がＡＴＭセルの到着周期を監視することにより加入者線の異常検出を行い、また、デセル化を行うＣＬＡＤ装置１２がＡＴＭセルの到着周期を監視することにより加入者線終端装置１０以後の伝送路の異常検出を行うことができる。
【０００９】
いま、加入者装置内の端末２１の電源が切断されると、ＣＬＡＤ装置２２への同期系信号の入力がなくなるので、ＡＴＭセルの周期的な送出も停止する。その場合、局側装置の加入者線終端装置１０は、加入者装置から通知される電源断情報を受信することで周期異常の警報を抑止することができるが、交換機１１の前段のＣＬＡＤ装置１２は、ＡＴＭセルが周期的に到着しないことを検出して周期異常の警報を出してしまう。
【００１０】
このように端末の電源が正常に切断された時に、デセル化を行っているＣＬＡＤ装置１２で警報が発生することを防ぐ一つの対応策として、局側装置の運用管理を行うオペレーション装置が、電源断情報を検出した加入者線終端装置１０からの情報を受けて、ＣＬＡＤ装置１２からの警報をマスクすることが考えられるが、加入者装置の数が増えるにつれてオペレーション装置の負荷が増大するという問題がある。
【００１１】
また他の対応策として、加入者線終端装置１０が電源断を検出した時、伝送路異常通知用のＯＡＭセルに警報抑止通知を載せて下流に送出することにより、ＣＬＡＤ装置１２の警報を抑止する手段が考えられる。この時、ＣＬＡＤ装置１２で誤検出を防ぐため、警報抑止通知は複数回以上通知される必要がある。しかし、伝送路異常通知用のＯＡＭセルは、加入者線終端装置１０で輻輳が生じて正常なセルが廃棄されないように十分な低速で送出されるため、このＯＡＭセルに載せて警報抑止通知を送出するとＣＬＡＤ装置１２への通知が遅れ、それよりも早くＣＬＡＤ装置１２が周期異常を検出して警報を発生させる可能性がある。
【００１２】
本発明はかかる問題点に鑑みてなされたものであり、例えば、同期系信号をいったん非同期系信号に変換して伝送してから元の同期系信号に再変換する区間を含む伝送系において、この区間内での装置の正常な電源断により信号が停止した時に、非同期系信号を同期系信号に再変換する装置にて周期異常による警報が発生するのを抑止するような警報抑止通知装置を提供することを目的とする。
【００１９】
【課題を解決するための手段】
図１は、本発明に係る原理説明図である。
本発明においては、同期系信号をいったん非同期系信号に変換して伝送してから元の同期系信号に再変換する区間を含む伝送系に設けられ、該区間内での第１の装置（装置Ａ）の通常の電源断により該第１の装置からの信号が停止した時に、非同期系信号を同期系信号に再変換する第２の装置（装置Ｃ）にて周期異常による警報が発生するのを抑止する警報抑止通知を生成する警報抑止通知装置において、伝送経路の上流側で周期的な信号を送信している前記第１の装置の電源断を通知する信号を検出する電源断検出部５１と、該電源断の検出された第１の装置がその下流側へ送信していた信号の周期に対応した警報抑止通知の周期を生成する周期生成部５２と、周期生成部５２により生成された周期で、該電源断の検出された第１の装置に対応する警報抑止通知を作成して、前記第２の装置へ向けて伝送経路の下流へ送信する警報抑止通知発生部５３とを備え、周期生成部５２は、該検出対象となる前記第１の装置が下流側に向かって送信する信号の到着タイミングを所定の時間間隔にわたって時系列に記録できるテーブルを備え、該信号が到着する毎にその到着タイミングと共に送信元である前記第１の装置の識別情報を該テーブルに記録し、電源断の検出時、当該第１の装置に対して該テーブルに記録されている信号到着タイミングに基づき警報抑止通知の周期を生成することを特徴とする警報抑止通知装置５０が提供される。
【００２０】
例えば、図１の伝送系において、送信側の装置Ａから受信側の装置Ｃに周期的な信号が伝送されている場合、装置Ａの電源切断を後段の装置Ｂが検知すると、装置Ｂは装置Ａの電源断を検知している間、警報抑止通知装置５０に電源断検出信号を出力する。このように装置Ａの電源が切断されたために装置Ｂから警報抑止通知装置５０へ電源断検出信号が出力されると、電源断検出部５１はこの電源断検出信号を検出することにより、装置Ａの電源断を警報抑止通知発生部５３に通知する。警報抑止通知発生部５３は、電源断検出部５１から装置Ａの電源断を通知されることにより、周期生成部５２から取得したタイミングに合わせて、装置Ａに対応する警報抑止通知を作成して下流に送出する。装置Ｃはこの警報抑止通知を受信している間、あるいは警報抑止通知後に該電源断の検出された装置から正常に信号が受信され警報が解除されるまでは、装置Ａからの信号の周期異常を検出しても周期異常警報は出さない。
【００２５】
しかも、周期生成部５２を上記のような構成とすることで、例えば、図１の伝送系において装置Ａと装置Ｃとの間の双方向伝送で伝送方向により信号周期が異なる場合でも、あるいは、装置Ａから装置Ｃへの片方向だけで信号が伝送されている場合でも、周期生成部５２は、装置Ａから装置Ｃへの信号の周期を検出して、適切な警報抑止通知の周期を生成することができる。
【００２８】
【発明の実施の形態】
以下、本発明の実施例を図面を参照して説明する。
図２は、本発明に係る警報抑止方法を図８の伝送系に対して適用した場合の実施例である。加入者側において、端末２１の電源が通常に切断されると、網終端装置２０がその電源断を検知し、電源断情報としてＲＥＣ−ＩＮＨ信号を局側に送出する。一方、局側の加入者線終端装置１０は、端末２１からの加入者線上でＡＴＭセルが停止したことを検出するが、それとともにＲＥＣ−ＩＮＨ信号を受信するので、ＡＴＭセルの停止は通常の電源切断によるものと判断し、周期異常の警報を抑止する。
【００２９】
また、加入者線終端装置１０は、加入者側からＲＥＣ−ＩＮＨ信号を受信すると、一定の周期で警報抑止通知用のＯＡＭセルを生成して下流へ送出する。警報抑止通知用のＯＡＭセルはＡＴＭ中継器１３を経てＣＬＡＤ装置１２まで伝送される。ＣＬＡＤ装置１２は、加入者側の端末２１からのＡＴＭセルが停止したことを検出するが、それとともに警報抑止通知用のＯＡＭセルを受信するので、ＡＴＭセルの停止は端末２１の電源切断によるものと判断して、周期異常の警報を抑止する。
【００３０】
ＡＴＭ網のＯＡＭ機能の一つとして警報監視機能がすでに検討されている。警報監視機能とは、コネクションの接続点での障害を監視し、障害検出時に警報情報（障害種別や障害箇所など）を通知するためのＯＡＭセルを接続点の下流に送出する機能のことである。かかる警報監視のためのＯＡＭセルはＡＩＳ（Ａｌａｒｍ  Ｉｎｄｉｃａｔｉｏｎ  Ｓｉｇｎａｌ  ）セルとして定義され、ＶＰコネクションに対するＶＰ−ＡＩＳセルと、ＶＣコネクションに対するＶＣ−ＡＩＳセルとがある。
【００３１】
図３には、本発明に係る警報抑止通知装置の一実施例として、加入者線終端装置１０における警報監視部の構成が示されている。本実施例では、警報抑止を下流に通知するためのＯＡＭセルとしてＶＰ−ＡＩＳセルを使用しているが、ＶＣ−ＡＩＳセルを使用する方法、ＶＰ−ＡＩＳセルとＶＣ−ＡＩＳセルを両方使用する方法、あるいは、警報抑止通知用の特別なＯＡＭセルを定義して使用する方法も可能である。
【００３２】
加入者線終端装置１０の警報監視部は、端末側伝送路（加入者線）の異常検出時に警報を出すとともに伝送路異常通知を下流に送出する部分と、加入者側端末の電源断検出時に警報抑止通知を下流に送出する部分とに分けられる。前者は伝送路異常検出部１０１とＶＰ−ＡＩＳセル生成部１０２からなり、後者は電源断信号検出部１０３、同期系信号モニタ部１０４およびＶＰ−ＡＩＳセル生成部１０５からなる。
【００３３】
伝送路異常検出部１０１は、加入者線上の通信状態を監視し、異常検出時にＬＯＳ（Ｌｏｓｓ  ｏｆ  Ｓｉｇｎａｌ；信号の紛失）やＬＯＦ（Ｌｏｓｓ  ｏｆ  Ｆｒａｍｅ  ；フレームの紛失）などの通信警報を出力する。ＶＰ−ＡＩＳセル生成部１０２は、ＬＯＳやＬＯＦなどの警報種別を書き込んだＶＰ−ＡＩＳセルを生成し、局側伝送路に送出することにより伝送路異常を下流に通知する。
【００３４】
電源断信号検出部１０３は、加入者側端末が電源断されている間、加入者側から送られてくるＲＥＣ−ＩＮＨ信号を検出する。電源断信号検出部１０３がＲＥＣ−ＩＮＨ信号を検出している間、ＶＰ−ＡＩＳセル生成部１０５は、後述する同期系信号モニタ１０４が生成するタイミングに合わせて、警報種別として電源断を書き込んだＶＰ−ＡＩＳセルを生成し、局側伝送路に送出することにより警報抑止を下流に通知する。
【００３５】
図４には加入者線上に複数のコネクションが多重されている場合の例が示される。この例では、加入者側のＳＴＭ系装置２ａやＡＴＭ系装置２ｂなどからのＶＰコネクションが多重化装置２３を通して加入者線上で多重され、加入者線終端装置１０に入力されている。
【００３６】
この場合、ＳＴＭ系装置２ａとＡＴＭ系装置２ｂはともにＡＴＭセルで情報を伝送するが、ＳＴＭ系装置２ａにおけるセル周期はそれが扱う同期系信号のフレーム周期に対応して一定であるのに対して、ＡＴＭ系装置２ｂにおけるセル周期は不定である。以下の説明では、図４のＶＰＩ＝１のようにＡＴＭセルが一定周期で送出されるコネクションをＳＴＭサービス用のコネクション、ＶＰＩ＝２のような通常のコネクションをＡＴＭサービス用のコネクションと称する。
【００３７】
ところで、対向する伝送装置間で双方向に信号が伝送される場合、ＡＴＭ伝送方式では上り／下りの使用帯域はそれぞれ可変であり、一方、ＳＴＭ伝送方式では上り／下りの使用帯域は同じでかつ一定である。ただし、図４に示した構成例で、ＳＴＭサービス用のコネクション（ＶＰＩ＝１）を通して双方向伝送を行う場合、同期系信号のフレーム周期に合わせてＡＴＭセルが送出されるので上り／下りの使用帯域は同じになる。それに対し、ＡＴＭサービス用のコネクション（ＶＰＩ＝２）ではセルが非同期に伝送されるので上り／下りの使用帯域はそれぞれ常に変化する。
【００３８】
加入者側のＳＴＭ系装置で電源が切断されると、その装置が下り方向に送出するセルは停止するが、対向側の装置でセル送出を停止しないかぎり上り方向のセルは流れ続ける。したがって、加入者側の各装置とＶＰコネクションとの対応が加入者線終端装置１０にとって既知であり、ＳＴＭサービス用のＶＰコネクションの上り／下りのＶＰＩが同値であれば、電源断のためにＶＰコネクションの下り方向のセルが停止しても、そのＶＰコネクションの上り方向のセル周期を検出することができる。
【００３９】
加入者線終端装置１０の同期系信号モニタ部１０４は、上記の考えに基づいてＳＴＭサービス用の各ＶＰコネクションの上り方向のセル周期をモニタする。すなわち、局側伝送路から到着する上り方向のＡＴＭセルのＶＰＩを読み出し、それがＳＴＭサービス用のＶＰコネクションであるか否かを判定する。それにより、ＳＴＭサービス用の各ＶＰコネクションの現在のセル周期を検出できるので、既存ＶＰコネクションの使用帯域が変更されたり、新しいＶＰコネクションが追加された場合にも即座に対応できる。
【００４０】
次に、図４のように加入者線上に複数のＶＰコネクションが多重されている場合の、図３の実施例の加入者線終端装置１０の警報監視動作を説明する。
【００４１】
加入者線終端装置１０において伝送路異常検出部１０１が加入者線の異常を検出すると、ＶＰ−ＡＩＳセル生成部１０２は、伝送路異常通知用のＶＰ−ＡＩＳセルを一定周期で生成し、その加入者線上で多重されるすべてのＶＰコネクションの下り方向に送出する。このとき、伝送路異常通知用のＶＰ−ＡＩＳセルの生成周期は、加入者線終端装置１０内でセル輻輳が発生して正常なセルが廃棄されることがないように十分低速でなければならない。
【００４２】
また、ＳＴＭ系装置２ａで端末２１の電源が切断された場合、網終端装置２０はその電源断を検知して、ＲＥＣ−ＩＮＨ信号を対応するＶＰコネクション（ＶＰＩ＝１）に送出する。それに対し、加入者線終端装置１０では、電源断信号検出部１０３がこのＲＥＣ−ＩＮＨ信号を検出し、ＶＰ−ＡＩＳセル生成部１０２に対して送信不許可を指示すると同時に、ＶＰ−ＡＩＳセル生成部１０５に対して送信許可を指示する。
【００４３】
それにより、伝送路異常検出部１０１がＳＴＭサービス用のＶＰコネクション（ＶＰＩ＝１）のセルの停止を検出してもＶＰ−ＡＩＳセル生成部１０２から伝送路異常通知用のＶＰ−ＡＩＳセルは送信されず、代わってＶＰ−ＡＩＳセル生成部１０５から警報抑止通知用のＶＰ−ＡＩＳセルが送信される。
【００４４】
電源断信号検出部１０３から送信許可が指示されている間、ＶＰ−ＡＩＳセル生成部１０５は、電源断が検出されたＶＰコネクション（ＶＰＩ＝１）に対するセル到着タイミングを同期系信号モニタ部１０４から取得し、そのタイミングに合わせて警報抑止通知用のＶＰ−ＡＩＳセルを生成し、そのＶＰコネクションの下り方向に送信する。
【００４５】
それにより、警報抑止通知用のＶＰ−ＡＩＳセルは、ＳＴＭ系装置２ａにおける同期系信号のセル化周期（例えば１２５μｓ）と同じ速度で送出されるため、そのＶＰコネクション（ＶＰＩ＝１）に与えられている使用帯域をオーバーして他のＶＰコネクション（ＶＰＩ＝２）の帯域を損なうことはなく、また、下流のＣＬＡＤ装置１２がそのＶＰコネクション（ＶＰＩ＝１）の周期異常を検出する前に警報抑止を通知することができるので、通常の電源断に起因する不要な異常警報を抑えることができる。
【００４６】
また、加入者線終端装置１０は、トラヒック増大等によるセル輻輳時に加入者側の電源断を検出した場合、電源断が検出されたＶＰコネクションに対する警報抑止通知用のＶＰ−ＡＩＳセルを他のＶＰコネクションの信号よりも優先的に送信するような制御をすることにより、下流での不要な異常警報の発生をより確実に防止することができる。
【００４７】
上述の実施例では、加入者側装置の使用するＶＰコネクションの上り方向と下り方向のＶＰＩ値が同じであり、かつ、どちらの方向にも同じ周期でＡＴＭセルが流れている場合に、加入者線終端装置１０が加入者側の電源断を検出した時、該当のＶＰコネクションの下り方向のセル到着周期を検出し、その周期で下り方向に警報抑止通知用のＶＰ−ＡＩＳセルを送出する方法を用いたが、本発明の適用はこの場合に限られるものではなく、上り方向と下り方向でＡＴＭセル送出周期が異なる場合、あるいは下り方向にだけＡＴＭセルが送出されている場合には、下り方向のセル到着周期を検出することにより警報抑止通知用セルの送出周期を決定することができる。
【００４８】
ただし、警報抑止通知用セルを送出する際には、加入者側装置の通常の電源断のために下り方向のＡＴＭセルが到着しなくなっているので、あらかじめ下り方向のセル到着周期を測定、記録しておく機構が必要となる。図５は本発明の警報抑止通知装置の他の実施例である。本実施例は図３の実施例の変形であり、同期系信号モニタ部１０４に替えて周期情報記録テーブル１０６が設けられている。加入者線終端装置１０は、端末側伝送路上のＳＴＭサービス用のＶＰコネクションからＡＴＭセルをモニタして、その到着タイミングを周期情報記録テーブル１０６に記録する。そして、加入者側の端末の電源断を検出したら、周期情報記録テーブル１０６に記録されている到着タイミングに対応する周期で警報抑止通知用ＶＰ−ＡＩＳセルを下り方向へ送出する。
【００４９】
図６に周期情報記録テーブル１０６の構成例を示す。１つの周期情報記録テーブル１０６で複数の加入者側装置の周期情報を扱う場合、図６に示すように、受信したＡＴＭの送信元の装置ＩＤおよびＶＰＩ値も記録できるようにする。周期情報記録テーブル１０６のアドレスポインタは、セルのタイムスロット毎にインクリメントされ、そのタイムスロットでＡＴＭセルが到着していれば、対応する装置ＩＤおよびＶＰＩ値とともにセル到着「有り」をテーブルに記録し、また、ＡＴＭセルが到着していなければセル到着「無し」をテーブルに記録する。ＳＴＭサービス用の各ＶＰコネクションには、それぞれＡＴＭセルが周期的に到着するので、周期情報記録テーブル１０６上には情報が周期的に書き込まれる。
【００５０】
加入者線終端装置１０は、加入者側からＲＥＣ−ＩＮＨ信号を受信したら、当該装置について周期情報記録テーブル１０６への書込みを停止し、それ以後、セルのタイムスロット毎に周期情報記録テーブル１０６から順次に情報を読み出し、読み出した情報が当該装置のものであれば、そのタイムスロットで警報抑止通知用ＶＰ−ＡＩＳセルを送出する。
【００５１】
また、警報抑止通知用セルの送出周期を決定する他の方法として、上述のようにＶＰコネクションからセル到着タイミングを取得する代わりに、各ＶＰコネクションの使用帯域をあらかじめ登録しておくことも可能である。例えば、加入者線終端装置１０は、加入者側の各ＳＴＭ系装置の装置ＩＤ、使用するＶＰコネクションのＶＰＩ値および使用帯域を登録情報として保持し、電源断検出時、当該装置に対して登録されている使用帯域に応じた周期で警報抑止通知用のＶＰ−ＡＩＳセルを送出する。管理者は必要に応じて加入者線終端装置１０の登録情報を変更する。
【００５２】
また、上述の実施例では、局側でデセル化を行うＣＬＡＤ装置１２がセル受信の周期異常を検出した時に発生させる周期異常警報を抑止する場合を説明したが、ＣＬＡＤ装置１２は周期異常警報以外にバッファ容量異常警報も発生させる。バッファ容量異常警報とは、ＣＬＡＤ装置１２が受信セルをバッファにいったん蓄積し、バッファからセルを読み出しながらデセル化を行う過程で、バッファ溢れが起こったりバッファ内のセルがなくなった場合に発生させる警報である。ＣＬＡＤ装置１２でのバッファ容量異常警報は周期異常警報と同様、加入者側での通常の電源断のためＡＴＭセルが受信されなくなった時に発生するので、本発明はバッファ容量異常警報を抑止する目的にも利用できる。
【００５３】
また、本実施例では、送信側で同期系信号を周期的なＡＴＭセルに変換し、受信側でＡＴＭセルを元の同期系信号に再変換するＳＴＭ−ＡＴＭ−ＳＴＭ伝送系に対して本発明が適用されたが、通常のＡＴＭ伝送系における接続性確認機能に対しても本発明は適用可能である。接続性確認機能とは、ＶＰおよび／またはＶＣコネクションにおいてユーザ情報セルの送出がない状態でもコネクションの故障を検出できるように、送信側が接続性確認用のＯＡＭセルを一定時間間隔で送出し、受信側がそのＯＡＭセルを受信しなくなったらコネクションの接続性異常と判断する機能のことである。この場合も本発明を適用することにより、セルを送信する加入者側での通常の電源断のために対向する受信側で不要な接続性異常警報が発生するのを抑止することができる。
【００５４】
また、上述の実施例では、加入者端末の通常の電源断を局側の加入者線終端装置で検出し、デセル化を行っているＣＬＡＤ装置に警報抑止通知を送出する場合を説明したが、本発明の適用はこの場合に限られるものではなく、伝送経路上の伝送装置が、自分の上流側で周期的な信号を発信あるいは中継している装置の電源断を検出して、下流に警報抑止を通知する必要があるような場合には一般的に適用できる。
【００５５】
【発明の効果】
以上説明したように、本発明によれば、送信側から周期的な信号を送信し、受信側では受信信号の周期異常の検出時に警報を出す伝送系において、伝送経路上の装置の電源断により信号が停止した時、その下流にある装置は信号の周期異常を検出する前に警報抑止通知を受けることができるので、不要な警報の発生が抑止される。
【図面の簡単な説明】
【図１】本発明に係る原理説明図である。
【図２】本発明に係る警報抑止方法の実施例を示す図である。
【図３】本発明に係る警報抑止通知装置の実施例の構成を示す図である。
【図４】加入者線でコネクションが多重化されている場合の構成例を示す図である。
【図５】本発明に係る警報抑止通知装置の他の実施例の構成を示す図である。
【図６】周期情報記録テーブルの構成例を示す図である。
【図７】従来の伝送系の構成例および警報抑止方法を示す図である。
【図８】周期的な信号をＡＴＭ網を通して伝送する伝送系の構成例を示す図である。
【符号の説明】
１０  加入者線終端装置
１０１  伝送路異常検出部
１０２、１０５  ＶＰ−ＡＩＳセル生成部
１０３  電源断信号検出部
１０４  同期系信号モニタ部
１０６  周期情報記録テーブル
１１  交換機
１２  ＣＬＡＤ装置（デセル化側）
１３  ＡＴＭ中継器
１４  同期系中継器
２０  網終端装置
２１  端末
２２  ＣＬＡＤ装置（セル化側）
２３  多重化装置
２ａ  ＳＴＭ系装置
２ｂ  ＡＴＭ系装置
【図１】
0003579190.tif 000002
【図２】
0003579190.tif 000003
【図３】
0003579190.tif 000004
【図４】
0003579190.tif 000005
【図５】
0003579190.tif 000006
【図６】
0003579190.tif 000007
【図７】
0003579190.tif 000008
【図８】
0003579190.tif 000009